(57)【特許請求の範囲】
【請求項１】
袋状の包装体と、その裏面に再接着型粘着剤層が形成されて前記再接着型粘着剤層で前記包装体の外表面の仮着部に仮着される封止ラベルと、前記封止ラベルを囲繞するようにして裏面に形成された接着剤層で前記包装体の外表面の仮着部に仮着される囲繞材とを含み、
前記封止ラベルは、前記囲繞材に囲繞されるようにして前記包装体の外表面の仮着部に仮着される基部と、
前記基部の端縁より突き出た摘み片とを含み、
前記基部にのみ前記再接着型粘着剤層が形成され、前記摘み片は前記包装体の外表面に仮着されないように形成され、
前記封止ラベルが、前記包装体の仮着部から剥離されて、前記包装体の開口部近傍を折り返した折り返し部とその近傍の前記包装体の外表面に跨るように再接着されて前記包装体の開口部を封止するように形成された、封止ラベル付き包装体。
【発明の詳細な説明】
【０００１】
【発明の属する技術分野】
この発明は、封止ラベル付き包装体に関し、特にたとえばスナック菓子などを収容するプラスチック製包装袋を開封したときに再び開口するまでその包装袋の開口部を封止することができる封止ラベル付き包装体に関する。
【０００２】
【従来の技術】
従来の菓子などの包装袋の開口部には、その幅方向に形成された凹条と凸条とからなるファスナー付き袋がある。
また、このようなファスナーのつかない包装袋の場合には、その開口部を封止するには、たとえば袋の開口部をまるめて輪ゴムでとめるなどの方法がある。
【０００３】
【発明が解決しようとする課題】
ところが、ファスナー付き袋の場合は、内容量が減ってきてもその袋を減容できない。
また、包装袋とは別の器具を使用する場合には、別の器具が手元になかったり、また別途保管をしなければならないという手間がかかり、必要なときにその器具を準備できないという問題もある。
【０００４】
それゆえに、この発明の主たる目的は、包装体と一体としてその包装体を封止するラベルが仮着され、簡単に包装体の開封部分を封止することができる、封止ラベル付き包装体を提供することである。
【０００５】
【課題を解決するための手段】
本願発明の請求項１に記載の封止ラベル付き包装体は、袋状の包装体と、その裏面に再接着型粘着剤層が形成されて前記再接着型粘着剤層で前記包装体の外表面の仮着部に仮着される封止ラベルと、封止ラベルを囲繞するようにして裏面に形成された接着剤層で包装体の外表面の仮着部に仮着される囲繞材とを含み、封止ラベルは、囲繞材に囲繞されるようにして包装体の外表面の仮着部に仮着される基部と、基部の端縁より突き出た摘み片とを含み、基部にのみ再接着型粘着剤層が形成され、摘み片は包装体の外表面に仮着されないように形成され、封止ラベルが、包装体の仮着部から剥離されて、包装体の開口部近傍を折り返した折り返し部とその近傍の包装体の外表面に跨るように再接着されて包装体の開口部を封止するように形成された、封止ラベル付き包装体である。
【０００６】
【作用】
請求項１の発明によれば、囲繞材に囲繞されるようにして封止ラベルが包装体の外表面の仮着部に再接着型粘着剤層で仮着されて、開封前においては、包装体と一体として形成され、包装体を開封した後に包装体の開口部を封止するときには、包装体の仮着部から剥離された封止ラベルが、包装体の開口部近傍を折り返した折り返し部とその近傍の包装体の外表面に跨るように再接着され、包装体を封止する。
このとき、封止ラベルの基部の端縁から突き出た摘み片には再接着型粘着剤層が形成されていないので、摘み片が包装体の外表面より浮いて封止ラベルが包装体の外表面に接着され、摘み片を摘んで包装体から封止ラベルの基部が剥離される。
さらに、封止ラベルは囲繞材によってその周囲が囲繞されて封止ラベルの端縁と他物との接触を防ぎ、包装体を封止するときには、封止ラベルが包装体から剥離されて、包装体の開口部を封止する。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の一実施の形態である封止ラベル付き包装体の図解図であり、図２は図１図示封止ラベルの平面図であり、図３は図１図示封止ラベルの図２Ａ−Ａ断面図解図であり、図４は図１図示封止ラベルの図２Ｂ−Ｂ断面図解図である。
【０００９】
封止ラベル付き包装体は、包装体１０と、包装体１０の外表面に仮着された封止ラベル１４とで構成される。包装体１０は、スナック菓子などを密封・収容するプラスチック製包装袋であって、その外周縁が開封する前はすべて熱溶着などにより封止されてその内容物を保護し、開封することによってその中身を取り出すことができるように構成され、開口部１２は、包装体１０の上端縁熱溶着部を引き剥がしたりあるいはまたはさみで切断することによって形成される。
また、包装体１０は、図５において示されるように、軟質プラスチック製シート、紙材等を袋状に形成してなり、開口部１２近傍を丸めて再び封止した状態とすることができる。
【００１０】
前記包装体１０の外表面には、封止ラベル１４が仮着されている。
封止ラベル１４は、紙、プラスチックシートなどからなるラベル基材１６の裏面に、再接着型粘着剤層１８が形成され、前記ラベル基材１６は、再接着型粘着剤層１８を対向させて包装体１０の外表面の仮着部２０に再接着型粘着剤層１８の粘着力によって仮着されている。
そして、前記包装体１０の仮着部２０から剥離された封止ラベル１４が、図５において示されるように、包装体１０の丸められた開口部１２近傍の包装体１０の外表面に接着されるように形成されている。
すなわち、包装体１０の開口部１２近傍を丸め、包装体１０の外表面に封止ラベル１４を再接着することにより、包装体１０の開口部１２近傍が元に戻ることなく、丸まった状態で封止ラベル１４によって固定される。
ラベル基材１６は、開封された包装体１０の開口部１２を再封止状態とするために、包装体１０の開口部１２近傍を折り返した折り返し部１０ａの包装体１０の外表面と折り返し部１０ａが重ねられた部位の近傍の包装体１０の外表面との段差部１２ａを含めて、折り返し部１０ａと折り返し部１０ａが重ねられた部位の近傍の包装体１０の外表面に密着するように、柔軟性を有する素材からなる。また、ラベル基材１６は、開封された包装体１０の開口部１２を再封止状態とするために、包装体１０の開口部１２近傍を折り返した折り返し部１０ａの包装体１０の外表面と折り返し部１０ａが重ねられた部位の近傍の包装体１０の外表面との間に跨がる大きさで、且つ包装体１０よりはみ出すことのない大きさを有する。
【００１１】
封止ラベル１４は、前記包装体１０の外表面の仮着部２０に仮着され且つ包装体１０の開口部１２近傍の包装体１０の外表面に再接着される平面方形の基部２２と、前記基部２２の上端縁より上方に突き出た舌状摘み片２４とを含む。そして、基部２２は、囲繞材２６の輪郭切込み２８内に存置した状態で包装体１０の仮着部２０に仮着されている。
前記基部２２の裏面には再接着型粘着剤層１８が形成され、摘み片２４の裏面には再接着型粘着剤層１８が形成されていない。すなわち、包装体１０の外表面より浮いた状態で仮着されて封止ラベル１４が包装体１０の外表面に一体化される。
【００１２】
この実施の形態においては、封止ラベル１４は、封止ラベル１４と同一素材からなる方形の囲繞材２６のなかに輪郭切込み２８にて形成され、囲繞材２６から前記輪郭切込み２８で切り離しされるように形成されている。このように、封止ラベル１４と囲繞材２６とは輪郭切込み２８の形成前は同一素材で形成されて繋がっており、輪郭切込み２８により封止ラベル１４と囲繞材２６とが切り離され、且つ封止ラベル１４が囲繞材２６の輪郭切込み２８内に存置した状態で包装体１０の仮着部２０に仮着されている。
囲繞材２６の裏面には、前記封止ラベル１４と同様、囲繞材２６の基材２６ａの裏面に再接着型粘着剤からなる接着剤層２６ｂが形成されている。
そして、封止ラベル１４は、囲繞材２６とともに、その裏面の再接着型粘着剤層１８および囲繞材２６の接着剤層２６ｂの粘着力により、包装体１０の仮着部２０の外表面に仮着されるように形成されている。
封止ラベル１４は囲繞材２６によってその周囲が囲繞されて封止ラベル１４の端縁と他物との接触を防ぎ、使用時輪郭切込み２８で囲繞材２６と区画された封止ラベル１４は輪郭切込み２８で切り離される。
【００１３】
そして、包装体１０の開口部１２を封止するときには、輪郭切込み２８から封止ラベル１４のみを切り離す。すなわち、包装体１０の外表面から封止ラベル１４を摘み片２４を摘んで剥離し、包装体１０の開口部１２の丸めた外表面に再接着し開口部１２を封止する。
【００１４】
なお、封止ラベル１４は、囲繞材２６のなかに１片のみ形成してもよく、また、図６に示すように、基部２２の両端縁を近接させて横方向に並列した状態で囲繞材２６の輪郭切込み２８内に、複数片の封止ラベル１４を形成してもよい。隣接した基部２２の長手左右の端縁１６ａは、輪郭切込み２８と同様に輪郭切込み２８の形成時に切り離され、隣接した基部２２どおし分離されている。
基部２２の形状は、方形のほか、円形や異形等にしてもよい。
また、図７および図８に示すように、図２図示封止ラベル１４を囲繞材２６とともに横方向に連続して並列し、隣接した囲繞材２６の長手左右の外周縁２６ａは、輪郭切込み２８と同様に輪郭切込み２８の形成時に切り離され、隣接した囲繞材２６どおし切り離されており、長尺状剥離紙３０の表面に再接着型粘着剤層１８の粘着力によって仮着し、包装体に仮着させるときに封止ラベル１４を囲繞材２６とともに剥離紙３０から剥離して、包装体１０の仮着部２０に仮着するように形成してもよい。なお、剥離紙３０に仮着されているときには、長手端縁側にカス材３２ａ，３２ｂも封止ラベル１４と囲繞材２６とともに仮着しておく方が、不用意に剥離紙３０から剥離しないのでよい。カス材３２ａは、囲繞材２６と摘み片２４と接する部位において輪郭切込み２８と同様に輪郭切込み２８の形成時に切り離されている。カス材３２ｂも同様に、囲繞材２６と接する部位において切り離されている。カス材３２ａ，３２ｂは、囲繞材２６および摘み片２４と切り離される前は、同一素材で形成されて繋がっていたものである。
【００１６】
【発明の効果】
請求項１の発明によれば、囲繞材に囲繞されるようにして封止ラベルが包装体の外表面の仮着部に再接着型粘着剤層で仮着されて、開封前においては、包装体と一体として形成され、包装体を開封した後に包装体の開口部を封止するときには、包装体の仮着部から剥離された封止ラベルが、包装体の開口部近傍を折り返した折り返し部とその近傍の包装体の外表面に跨るように再接着され、包装体を封止する。
開封した袋の開口部を使用毎に中の残量に合わせて折り込み、この封止ラベルで封をすれば、中の残量に合わせてコンパクトに納まる。
中の空気を逃がすように小さくまとめると、鮮度を保たせる効果も期待できる。
また、封止ラベルの基部の端縁から突き出た摘み片には再接着型粘着剤層が形成されていないので、摘み片が包装体の外表面より浮いて封止ラベルが包装体の外表面に接着され、摘み片を摘んで包装体から剥離される。
さらに、封止ラベルは囲繞材によってその周囲が囲繞されて封止ラベルの端縁と他物との接触を防ぎ、包装体を封止するときには、封止ラベルが包装体から剥離されて、包装体の開口部を封止する。
【図面の簡単な説明】
【図１】  この発明の一実施の形態である封止ラベル付き包装体の図解図である。
【図２】図１図示封止ラベルの平面図である。
【図３】図１図示封止ラベルの図２Ａ−Ａ断面図解図である。
【図４】図１図示封止ラベルの図２Ｂ−Ｂ断面図解図である。
【図５】開封された包装体の開口部に封止ラベルが仮着された状態を示す図解図である。
【図６】図１図示封止ラベルの変形した例を示す平面図である。
【図７】  この発明の封止ラベル付き包装体に用いられる封止ラベルの他の例を示す斜視図解図である。
【図８】図７図示封止ラベルの図７Ｃ−Ｃ断面図解図である。
【符号の説明】
１０  包装体
１０ａ  折り返し部
１２  開口部
１２ａ  段差部
１４  封止ラベル
１６  ラベル基材
１８  再接着型粘着剤層
２０  仮着部
２２  基部
２４  摘み片
２６  囲繞材
２６ａ  基材
２６ｂ  接着剤層
２８  輪郭切込み
３０  剥離紙
【図１】
0004138149.tif 000002
【図２】
0004138149.tif 000003
【図３】
0004138149.tif 000004
【図４】
0004138149.tif 000005
【図５】
0004138149.tif 000006
【図６】
0004138149.tif 000007
【図７】
0004138149.tif 000008
【図８】
0004138149.tif 000009